(57)【要約】【課題】タッチ感応ユーザインターフェースと、電話の着信中にユーザインターフェースのスワイプ感知ユーザ制御ゾーンが電話情報表示と共にアクティブ化される電話操作モードとを有する手持ち式無線通信機器のためのタッチスクリーンカバーを提供する。【解決手段】タッチスクリーンカバーは、遮蔽形態において、手持ち式無線通信機器のタッチ感応ユーザインターフェースの大部分を覆う保護パネルを含む。保護パネルは、遮蔽形態において、手持ち式無線通信機器のユーザインターフェースのスワイプ感知ユーザ制御ゾーンの少なくとも一部を覆うタッチ伝達部分を含み、タッチ伝達部分は、その露出した外面上へのスワイプ・タッチ係合を受け、スワイプ感知ユーザ制御ゾーンのスイープする静電容量誘起されたユーザ作動を応答可能に伝えるように構成される。【選択図】図１Ａ
2015079510.tif 000002
【特許請求の範囲】
【請求項１】
タッチ感応ユーザインターフェースと、電話の着信中に前記ユーザインターフェースのスワイプ感知ユーザ制御ゾーンが電話情報表示と共にアクティブ化される電話操作モードとを有する手持ち式無線通信機器のためのタッチスクリーンカバーであって、前記タッチスクリーンカバーは、
遮蔽形態において、前記手持ち式無線通信機器の前記タッチ感応ユーザインターフェースの大部分を覆う保護パネルを含み、
前記保護パネルは、前記遮蔽形態において、前記手持ち式無線通信機器の前記ユーザインターフェースの前記スワイプ感知ユーザ制御ゾーンの少なくとも一部を覆うタッチ伝達部分を含み、前記タッチ伝達部分は、前記タッチ伝達部分の露出した外面上へのスワイプするタッチ係合を受け、前記スワイプ感知ユーザ制御ゾーンのスイープする静電容量誘起されたユーザ作動を応答可能に伝えるように構成されることを特徴とする、タッチスクリーンカバー。
【請求項２】
前記保護パネルの前記タッチ伝達部分の少なくとも一部は、静電容量伝導性であることを特徴とする、請求項１に記載のタッチスクリーンカバー。
【請求項３】
静電容量伝導性である前記タッチ伝達部分の表面抵抗は、１０12オーム毎スクエアよりも小さい、請求項２に記載のタッチスクリーンカバー。
【請求項４】
前記保護パネルの前記タッチ伝達部分の少なくとも一部は、静電容量絶縁性である、請求項２に記載のタッチスクリーンカバー。
【請求項５】
静電容量絶縁性である前記タッチ伝達部分の前記表面抵抗は、１０12オーム毎スクエアよりも大きい、請求項４に記載のタッチスクリーンカバー。
【請求項６】
前記タッチ伝達部分は、複数の静電容量伝導性部分に分割されており、前記複数の静電容量伝導性部分の少なくとも一対は、少なくとも１つの静電容量絶縁性部分により隔てられている、請求項４に記載のタッチスクリーンカバー。
【請求項７】
前記タッチ伝達部分は、一連の静電容量伝導性部分を含み、前記一連の静電容量伝導性部分の隣接する対は、前記隣接する対の間の少なくとも１つの静電容量絶縁性部分により隔てられている、請求項４に記載のタッチスクリーンカバー。
【請求項８】
前記一連の静電容量伝導性部分の少なくとも大部分は、一方が他方と線形に配置される、請求項７に記載のタッチスクリーンカバー。
【請求項９】
前記タッチ伝達部分は、一連の互い違いの静電容量伝導性部分と静電容量絶縁性部分とを含み、それによって、前記保護パネルのタッチ伝達部分の露出した外面上へのスワイプするタッチ係合を受けて誘起される、前記スワイプ感知ユーザ制御ゾーンのスイープする静電容量誘起されたユーザ作動を伝えることが可能になる、請求項４に記載のタッチスクリーンカバー。
【請求項１０】
前記一連の静電容量伝導性部分は、１５ミリメートル以下だけ離間される、請求項７に記載のタッチスクリーンカバー。
【請求項１１】
前記一連の静電容量伝導性部分は、少なくとも０．１ミリメートルだけ離間される、請求項１０に記載のタッチスクリーンカバー。
【請求項１２】
前記タッチスクリーンカバーを前記手持ち式無線通信機器にピボット移動可能に接続する結合器をさらに含む、請求項１に記載のタッチスクリーンカバー。
【請求項１３】
前記電話情報表示の少なくとも一部を覆う窓をさらに含む、請求項１に記載のタッチスクリーンカバー。
【請求項１４】
前記電話情報表示の少なくとも一部を覆う前記窓は、前記電話情報表示を露出させる、前記タッチスクリーンカバーを貫通する切り抜き部である、請求項１３に記載のタッチスクリーンカバー。
【請求項１５】
前記電話情報表示の少なくとも一部を覆う前記窓は、前記窓を通して前記電話情報表示が見える透明なパネルである、請求項１３に記載のタッチスクリーンカバー。
【請求項１６】
前記タッチ伝達部分及び窓の傍にある前記保護パネルの大部分は、静電容量絶縁性である、請求項１３に記載のタッチスクリーンカバー。
【請求項１７】
前記タッチ伝達部分及び窓を除いて前記保護パネルの実質的全体は、静電容量絶縁性である、請求項１３に記載のタッチスクリーンカバー。
【請求項１８】
前記保護パネルの大部分は静電容量絶縁性である、請求項１に記載のタッチスクリーンカバー。
【請求項１９】
前記タッチ伝達部分を除いて前記保護パネルの大部分は、静電容量絶縁性である、請求項１に記載のタッチスクリーンカバー。
【請求項２０】
前記タッチスクリーンを前記手持ち式無線通信機器に接続し、それにより前記タッチスクリーンカバーが前記遮蔽形態と開放構成との間を旋回できるようにする可撓性結合器をさらに含む、請求項１に記載のタッチスクリーンカバー。
【請求項２１】
前記保護パネルの前記タッチ伝達部分は、少なくとも１つの静電容量絶縁性部分により隔てられた少なくとも一対の離間した静電容量伝導性部分を含む、請求項１に記載のタッチスクリーンカバー。
【請求項２２】
前記少なくとも一対の離間した静電容量伝導性部分は、１５ミリメートル以下だけ離間される、請求項２１に記載のタッチスクリーンカバー。
【請求項２３】
前記少なくとも一対の離間した静電容量伝導性部分は、少なくとも０．１ミリメートルだけ離間される、請求項２２に記載のタッチスクリーンカバー。
【請求項２４】
前記保護パネルの前記タッチ伝達部分は、静電容量絶縁性部分により少なくとも部分的に覆われた静電容量伝導性部分を含む、請求項１に記載のタッチスクリーンカバー。
【請求項２５】
前記覆われた静電容量絶縁性部分は、前記タッチ伝達部分の前記露出した外面から前記静電容量伝導性部分までの静電容量の伝達を可能にする複数の静電容量伝導性ゾーンを含む、請求項２４に記載のタッチスクリーンカバー。
【請求項２６】
前記複数の静電容量伝導性ゾーンの各々は、前記覆われた静電容量絶縁性部分を貫通する切り抜き窓を含み、前記切り抜き窓を通して、タッチ接触のために前記静電容量伝導性部分が露出される、請求項２５に記載のタッチスクリーンカバー。
【請求項２７】
前記複数の静電容量伝導性ゾーンの各々は、前記タッチ伝達部分の前記露出した外面から前記静電容量伝導性部分まで前記覆われた静電容量絶縁性部分を通って延びる静電容量伝導性の構成要素を含む、請求項２５に記載のタッチスクリーンカバー。
【発明の詳細な説明】
【技術分野】
【０００１】
本開示は、携帯用モバイル機器のための保護デバイスに関する。具体的には、本開示は、携帯用モバイル機器が保護デバイスで覆われていない場合でも、ユーザが、モバイル機器のタッチ感応（ｔｏｕｃｈ−ｓｅｎｓｉｔｉｖｅ）ユーザインターフェースの１つ又はそれ以上の特定領域に対してタッチ感応操作を行うことを可能にする保護デバイスに関する。より具体的には、本開示は、ユーザが、保護カバーのタッチ伝達部分をスワイプして、タッチ伝達部分は、それに対応してユーザインターフェースのスワイプ感知ユーザ制御ゾーンに、スイープする静電容量誘起されたユーザ作動を伝えることができ、電話に応答することができる、タッチ感応ユーザインターフェースを覆うモバイル機器用タッチスクリーンカバーに関する。
（関連出願の相互参照）
本出願は、２０１３年１０月１１日に出願された台湾特許出願第１０２１３６８１５号に対する優先権を主張するものであり、全体として本明細書に援用される。
【背景技術】
【０００２】
説明を簡単かつ明確にするために、必要に応じて、対応する要素又は類似の要素を示すように、異なる図面間で参照番号が繰り返されていることが理解されるであろう。さらに、本明細書で説明される実施形態の完全な理解を与えるために、多数の具体的な詳細が述べられる。しかしながら、本明細書で述べられる実施形態は、これらの具体的な詳細なしに実施することができる。他の例では、説明される関連機能を曖昧にしないように、方法、手順及び構成要素は、詳細に説明されていない。また、説明は、本明細書で説明される実施の範囲を限定するものとして考えられるべきではない。特に指定のない限り、本開示に述べられる実施形態の説明及び特徴は、相互排他的であると考えられるべきではないことが理解されるであろう。
【０００３】
タッチスクリーンは、ｉＰｈｏｎｅ、ｉＰａｄ、Ｄｒｏｉｄ、スマートフォン、携帯情報端末（ＰＤＡ）及び他の携帯用手持ち式無線モバイル通信機器などの様々な消費家電製品に広く使用されており、操作が簡単で応答が迅速であるという利点があり、場所を取らない。これらのデバイスは、電話をかけ、受けるための電話操作モードの他に、テキスト・メッセージの送受信、メッセージング、リマインダー、及び他の機能を含む多数の機能を提供する。静電容量式タッチ技術は、安定した性能、良好な感度、及び耐久性を有する、最も一般的なタッチ技術の１つである。静電容量式タッチ技術は、主として、タッチスクリーンのユーザインターフェースに接触する人体の部分によって引き起こされる静電場の歪みにより生じる静電容量の変化を利用し、この静電容量の変化により、デバイスのタッチ及び作動機能を記録する。
【０００４】
さらに、携帯用モバイル機器の人気と相まって、その結果として、携帯用モバイル機器に傷がつく又は損傷するのを防止するために、携帯用モバイル機器のための、カバーなどの種々の保護デバイスも出て来ている。しかしながら、タッチ感応ユーザインターフェースを装備した携帯用モバイル機器が保護カバーで覆われるときに、問題が生じる。カバーの厚さ又は他の特性のために、静電容量誘起によるユーザのタッチ操作の検出が妨げられ、ユーザに不便をかける。例えば、電話の着信があった場合、単にスクリーンにタッチする又はスクリーンをスワイプする代わりに、ユーザは、まず保護デバイスを開け、次に静電容量式タッチスクリーンのユーザインターフェースの特定領域に係合することによって、電話に応答する又は電話を拒否する機能を実施しなければならない。
【発明の概要】
【０００５】
解決法として、本明細書に開示されるのは、保護デバイスの利便性を向上させて、モバイル機器のタッチスクリーンが覆われている場合でも、ユーザが、タッチ感応ユーザインターフェースの特定領域を有効に作動させることができるようにする実施形態である。従って、本明細書に開示されるのは、携帯用モバイル機器を有効に保護すると同時に、携帯型モバイル機器が保護デバイスで覆われている場合でも、ユーザのタッチ操作をユーザインターフェースの特定領域内にもたらすことを可能にする保護デバイスである。
【０００６】
従って、実施形態において、本明細書で開示されるのは、タッチ感知ユーザインターフェースと、電話の着信中、ユーザインターフェースのスワイプ感知ユーザ制御ゾーンが電話情報表示と共にアクティブ化される電話操作モードとを有する手持ち式無線通信機器のためのタッチスクリーンカバーである。タッチスクリーンカバーは、遮蔽形態において、手持ち式無線通信機器のタッチ感知ユーザインターフェースの大部分を覆う保護パネルを含むことができる。保護パネルは、遮蔽形態において、手持ち式無線通信機器のユーザインターフェースのスワイプ感知ユーザ制御ゾーンの少なくとも一部を覆うタッチ伝達部分を含むことができる。タッチ伝達部分は、タッチ伝達部分の露出した外面上へのスワイプするタッチ係合を受け、スワイプ感知ユーザ制御ゾーンのスイープする静電容量誘起されたユーザ作動を応答可能に伝えるように構成することができる。
【０００７】
上述のように、静電容量式タッチスクリーンにおいて、タッチ感度は、ユーザとスクリーンとの係合により生じる静電容量の変化を測定することにより達成される。従って、デバイスを作動させるために、１本の指若しくは複数の指、１本の指先若しくは複数の指先、静電容量性スタイラス、又は他の適切な手段と、静電容量式タッチ感応スクリーンとの間に、静電容量結合が生成されることは有利である。本明細書における幾つかの実施形態においては、タッチスクリーンを覆い、保護すると同時に、パネルの特定領域内の特性を変化させて、ユーザインターフェースへのユーザのタッチ操作による静電容量の誘起を可能にする保護パネルを有するタッチスクリーンカバーが提供される。
【図面の簡単な説明】
【０００８】
【図１Ａ】タッチスクリーンカバーの前部の例示的概略図である。
【図１Ｂ】タッチスクリーンカバーの後部の例示的概略図である。
【図２Ａ】タッチスクリーンカバーの前部の例示的概略図である。
【図２Ｂ】タッチスクリーンカバーの後部の例示的概略図である。
【図３Ａ】図２Ａ及び図２Ｂの保護パネルにより保護される携帯型モバイル機器用のタッチスクリーンカバーの例示的概略図である。
【図３Ｂ】図２Ａ及び図２Ｂの保護パネルにより保護される携帯型モバイル機器用のタッチスクリーンカバーの例示的概略図である。
【図３Ｃ】図２Ａ及び図２Ｂの保護パネルにより保護される携帯型モバイル機器用のタッチスクリーンカバーの例示的概略図である。
【図４】タッチスクリーンカバーの例示的概略図である。
【図５】タッチスクリーンカバーの例示的概略図である。
【図６】タッチスクリーンカバーの例示的概略図である。
【図７】タッチスクリーンカバーの例示的概略図である。
【図８】タッチスクリーンカバーの例示的概略図である。
【図９】タッチスクリーンカバーの例示的概略図である。
【発明を実施するための形態】
【０００９】
ここで、添付図面を参照して、単なる例として本出願の実施を説明する。
【００１０】
さらなる詳細のために、保護タッチスクリーンカバー１０の前部及び後部の概略図を示す、図１Ａ及び図１Ｂに示される実施形態を参照する。保護タッチスクリーンカバー１０は、携帯用メディアプレーヤー、携帯情報端末、及びｉＰｈｏｎｅ、ｉＰａｄ、Ｄｒｏｉｄを含むスマートモバイル機器、並びに他のデバイスで見られるような、静電容量式タッチ感応ユーザインターフェースを装備した携帯用モバイル機器のために使用することができる。そうしたタッチスクリーンは、例えば、ガラス、又はポリエチレンテレフタレート（ＰＥＴ）などのプラスチック・フィルムから作製することができる。タッチスクリーンカバー１０は、携帯用モバイル機器に適用することができる。タッチスクリーンカバーは、デバイスを保護するだけでなく、デバイスの静電容量式タッチ感応ユーザインターフェースの１つ又は複数の特定領域のタッチ機能を維持することができる。従って、タッチスクリーンカバー１０は、タッチ感応ユーザインターフェースが保護パネル１００で覆われる遮蔽形態を有することができる。示される実施形態において、保護パネル１００は、音声出力開口１０２を除いて、ユーザインターフェースを完全に覆う。しかしながら、他の実施形態において、保護パネル１００は、タッチ感応ユーザインターフェースを完全に覆う場合も、変形例としてユーザインターフェースの少なくとも大部分を覆う場合も、又は変形例としてユーザインターフェースの一部を覆う場合も、又は変形例としてユーザインターフェースを少なくとも部分的に覆う場合もある。さらに、タッチスクリーンカバー１０は、ｉＰｈｏｎｅ携帯用モバイル機器の上に嵌合し、これを覆うようなサイズ及び寸法形状にすることができる。示される実施形態において、保護パネル１００は、略矩形であり、デバイスのものに合致するように丸みを帯びたコーナー部を有する。タッチカバーは、手持ち式デバイスの特定の形状に従うように作製された任意の形状を有することができるが、略矩形の形状は現在の手持ち式デバイスの大部分に合致する。図１Ａ及び図１Ｂに示される実施形態において、タッチスクリーンカバー１０は、スクリーンのタッチ感応部分全体（音声出力開口１０２を除く）を覆う保護パネル１００を含み、１つの可撓性結合器１１０を有する。
【００１１】
可撓性結合器１１０は、接着剤、磁気力、又は他のいずれかの物理的手段により携帯型モバイル機器上に固定するなどの幾つかの方法で、携帯型モバイル機器にピボット移動可能に接続することができる。可撓性結合器１１０は、保護シェル、保護ボックス、又は他のシェルに回転可能に取り付けることができ、その場合、シェルを携帯型モバイル機器に直接取り付けることができる。異なる取り付けモードに対して、可撓性結合器１１０のサイズ、形状及び材料を適切に調整することができる。保護パネル１００は、可撓性結合器１１０により携帯型モバイル機器にピボット移動可能に取り付けることができ、それにより、保護パネル１００が、静電容量式タッチ感応ユーザインターフェースを覆ってインターフェースが傷つく又は損傷するのを防止するための遮蔽形態と、保護パネル１００がユーザインターフェースを覆わず、ユーザがユーザインターフェースに直接タッチし、係合する非遮蔽形態との間で前後にめくって引っくり返すことができるようになる。
【００１２】
保護パネルは、種々の材料から作製することができる。保護パネルは、可撓性、半可撓性、剛性、半剛性とすることができる。さらに、保護パネルは、３層構造を含む複数の層で構成することができる。例えば、３つの層は、第１の弾性の外面と、第２のより剛性の内部基板層と、表面の下の柔らかい繊維とを含むことができる。これらの層は、共成形（ｃｏ−ｍｏｌｅｄ）することも、又は共成形しないこともある。弾性外層は、ユーザによるタッチ又はスイープ係合のための露出面を提供する。幾つかの実施形態において、保護パネルは、天然皮革、合成皮革、ポリウレタン（ＰＵ）皮革、並びにこうした材料の組み合わせから形成することができる。プラスチック、ビニル、ナイロン、熱可塑性ＰＵ、ポリ塩化ビニル（ＰＶＣ）又はアクリルを含む、皮革の代替物を使用することができる。皮革は、保護外面を形成する一方で、表示及びタッチのための快適な露出した外面も提供することもできる。幾つかの実施形態においては、皮革の外面を有すると同時に、より剛性の基板材料の第２の層を内部に含ませて保護パネルに機械的強度を与えるのを助けることができる。例えば、内部基板は、ポリエチレンテレフタレートのような透明なプラスチックから成ることができる。また、内部基板は、他のエステル、アクリル、ＰＶＣ、ポリエチレン又はポロプロピレン、又はフイルム材料に形成された混合物とすることもできる。タッチスクリーンの表面に接触しこれを保護するように、柔らかく表面を傷つけない第３の層を、タッチスクリーンに面する保護パネルの下面に配置することができる。この第３の線維層は、大部分であれ又は一部であれ、下面全体を覆うことができる。幾つかの例においては、第３の層は、単に周縁部のみを覆い、第１及び第２の層が、ユーザインターフェース又はユーザインターフェースの実質的部分を覆ったままにすることができる。幾つかの実施形態においては、保護パネルの下面は、天然繊維又は合成繊維のライニングを含むことができる。一例において、下面は、マイクロファイバのライニングを含むことができ、ＰＥＴなどのプラスチックから作製することができる。他の材料として、柔らかい天然繊維若しくは合成繊維、又は、例えば綿、レーヨン、アセテート、アクリル、若しくはナイロン製の布が挙げられる。
【００１３】
保護パネル１００は、例えば電話に応答するなどのコマンドを作動させるための、タッチ感知を受ける位置又はゾーンなどのタッチ感応ユーザインターフェース上の特定の位置又はゾーンを覆うように、保護パネル内に配置することができるタッチ伝達部分１０６を含む。例えば、電話着信の際、ユーザインターフェースの上部付近に電話情報を表示すると同時に、スワイプ感知ユーザ制御ゾーンをアクティブにし、ユーザインターフェースの底部付近の領域に配置することができる。電話中にこれらの領域又はゾーンがアクティブにされると、ユーザは、スワイプ感知ユーザ制御ゾーンをスワイプし、それによりモバイル機器の電話応答機能を作動させることによって電話に応答することができる。電話情報は、電話番号、名前、又は他の識別情報を含むことができる。変形例として、着信電話以外に、テキスト・メッセージの通知、更新又は他のメッセージを含む他の機能を行う又は表示することができる。
【００１４】
既述のように、多くのデバイスは、ユーザインターフェースの下部領域においてユーザ・ディスプレイを指でスワイプすることによって着信電話に応答することを可能にする。例えば、電話に応答するため、電話をロック解除するため、又はメッセージ若しくは通知を表示するために、ユーザは、例えば、指若しくは親指をスクリーンの一方の側からスクリーンの他方の側に水平方向に（左から右に又は左から右に）動かすことによって、ユーザインターフェースのスワイプ感知ゾーン又は領域を横切ってスイープすることができる。他の実施形態において、このスワイプ運動は、垂直（上又は下の）運動とすることができる。さらに他の実施形態においては、スワイプは必要でなく、単にタッチスクリーンの特定の部分にタッチするだけでよい。スワイプ又はタッチ係合動作を生じさせる必要がある場合にユーザに警告するために、バー又はユーザインターフェースの下部に向いた矢印のようなグラフィックを与えることができる。機能を作動させるためにユーザのスイープ係合を記録するこうした領域又はゾーンは、タッチ感知ユーザインターフェースのスワイプ感知ユーザ制御ゾーンと呼ぶことができる。さらに、タッチが機能を作動させる場合、これは、タッチ感知ユーザ制御ゾーンと呼ぶことができる。こうした領域は、一般に、感知ユーザ制御ゾーンと呼ぶことができる。
【００１５】
再び図１Ａ及び図１Ｂを参照すると、保護パネル１００が、例えば遮蔽形態においてタッチ感応ユーザインターフェースを覆うと、スワイプ感知ユーザ制御ゾーンの大部分、又は変形例として少なくとも一部を覆うように、タッチ伝達部分１０６を位置決めすることができる。タッチ伝達部分１０６の特性は、ユーザのタッチ伝達部分１０６とのタッチ係合が、依然として、ユーザインターフェース内に静電容量を誘起し、従って、伝達部分１０６が覆う領域においてユーザインターフェースによるタッチ及び感知運動を記録するものである。言い換えれば、静電容量又はタッチ感知が低減される、又はパネルを通してユーザインターフェースに伝達されない、タッチ伝達部分１０６の外側の保護パネル１００の他の領域と比べると、ユーザインターフェースにおいて静電容量及びタッチ操作を誘起する能力が、タッチ伝達部分１０６の特定領域において可能になるか又はより大きくなる。従って、ユーザが、タッチ伝達部分１０６の領域内の保護パネル１００の露出した外面にタッチ、スワイプ、又は他の方法で係合すると、静電容量式タッチ感応ユーザインターフェースのコマンドに基づいて、任意のオブジェクト又は機能をスムーズに作動させることができる。従って、スイープすること又はタッチすることにより、スイープ又はタッチ感知ユーザ制御ゾーンのタッチする又はスイープする静電容量誘起されたユーザ作動が応答可能に伝えられる。
【００１６】
従って、保護パネル１００は、異なる感度を有する領域を有する。特に、特定の領域は、保護パネルを通したタッチ操作を可能にし、その結果、静電容量式タッチ感応ユーザインターフェースが保護パネル１００で覆われたとき、ユーザは、依然として、タッチ伝達部分１０６を通して携帯型モバイル機器の幾つかの機能を作動させることができる。
【００１７】
従って、幾つかの実施形態において、タッチ伝達部分１０６及び窓１０２の外側の保護パネル１００の大部分は、ユーザインターフェース内に静電容量を誘起しない。さらに別の実施形態において、タッチ伝達部分１０６及び窓１０２を除いて保護パネルの実質的全体は、ユーザインターフェース内に静電容量を誘起しないが、一方、タッチ伝達部分１０６の大部分又は実質的全体は、ユーザインターフェース内に静電容量を誘起する。
【００１８】
タッチ伝達部分１０６と保護パネル１００の残りの部分との間の異なる感度を達成するために、異なる材料、特性、又は特徴をタッチ伝達部分１０６に適用して、例えば、厚さ、導電性、及びシート抵抗等を変更することができる。例示的な実施形態において、保護パネル１００は、タッチ伝達部分１０６を含むその本体にわたって静電容量絶縁性材料から成る。静電容量絶縁性（すなわち、非導電性）であるために、材料のシート抵抗は、１０12（Ω／スクエア）より大きく又はこれと等しくすることができる。さらに、ユーザインターフェースへの静電容量の誘起を防止するために、タッチ伝達部分１０６以外の保護パネル１００の厚さは、１．５ｍｍ又はそれより厚い厚さを有する。このシート抵抗及び厚さにおいては、ユーザの指が表面と係合しても、タッチカバーの下のユーザインターフェースにおいて静電容量の変化は生じない。
【００１９】
しかしながら、タッチ性能を最適化するために、タッチ伝達部分１０６の厚さは、特に、約０．０５ｍｍから１．５ｍｍまでの間、又は０．０５ｍｍから１．５ｍｍ未満までの薄い厚さを有する。変形例として、厚さは、０．７ｍｍから１．３ｍｍまで、又は変形例として０．７ｍｍから１．１ｍｍまで、又は０．８ｍｍから１ｍｍまで、又は前述の範囲の任意の組み合わせとすることができる。そうした薄い厚さにおいて、保護パネル１００の残りの領域と同じシート抵抗（すなわち、１０12（Ω／スクエア）より大きい又はこれと等しい）を有するが、タッチ伝達部分１０６は、ユーザインターフェースに静電容量を誘起する。厚さは、０．０５ｍｍ未満とすることができる。絶縁性シート抵抗値と薄い厚さとの組み合わせにより、ユーザインターフェース内の静電容量誘起がユーザの指又は指先等の周りの領域に局所化される。絶縁特性を維持するために、シート抵抗値及び厚さをそれぞれ変化させることができ、ユーザインターフェースにおいて静電容量誘起は生じない。従って、タッチ伝達部分１０６は、ユーザインターフェースにおいて静電容量を誘起する一方で、外面上にユーザが係合する際、保護パネル１００の残りの部分は、静電容量を誘起しない。静電容量の記録差は、タッチ感度並びにユーザ作動を、タッチスクリーンカバー１０の特定部分のみに、及びモバイル機器の静電容量式タッチ感応ユーザインターフェース１２への対応する領域に制限する。このように、タッチ伝達部分１０６の上でユーザがスウィープすると、その特定の対応する領域においてユーザインターフェースに同様のスイープ運動が記録される。従って、電話に応答するといったモバイル機器の機能が、スイープを介して達成される場合、ユーザは、タッチ伝達部分１０６の上が覆われたときに、ユーザインターフェースのスワイプ感知ユーザ制御ゾーンにおける、そのような機能のスイープする静電容量作動をもたらすことができる。
【００２０】
上記に関して、いずれかの特定の理論に制限されるものではないが、１０12（Ω／スクエア）より大きい又はこれと等しいシート抵抗は、静電容量絶縁性（すなわち、非導電性）である。しかしながら、こうしたシート抵抗において、静電容量がユーザインターフェース内に誘起又は記録されるかどうかは、材料の厚さによって決まる。厚さが１．５ｍｍ又はそれ以上の場合、ユーザインターフェース内に静電容量は誘起されないが、厚さが０．０５ｍｍから１．５ｍｍまでの間である場合、ユーザが保護パネルの表面と係合すると、静電容量をユーザインターフェースに誘起することができる。例えば、厚さは、１．６ｍｍ又はそれ以上、変形例として１．７ｍｍ又はそれ以上、変形例として１．８ｍｍ又はそれ以上、変形例として１．９ｍｍ又はそれ以上、変形例として２．０ｍｍ又はそれ以上とすることができる。従って、保護パネルが非導電性である場合でも、十分に薄い厚さを用いる場合、静電容量は、ユーザインターフェース内で依然として記録され、ユーザのタッチの領域に局所化することができる。
【００２１】
この開示の目的のために、１０12（Ω／スクエア）より小さいシート抵抗は、静電容量伝導性と考えられる。こうしたシート抵抗においては、ユーザが係合すると、静電容量がユーザインターフェースに記録されるが、局所化されない。導電性は、こうしたシート抵抗を有する領域全体又は部分（であるが大きな部分）にわたるが、ユーザの指による特定の局所的な係合に制限されない。そのような場合、導電性領域が大きすぎる場合には、導電性領域の部分全体が、特定領域以外の静電容量を受けるので、ユーザインターフェースは、記録又は作動することができない。従って、１０12（Ω／スクエア）を下回るシート抵抗を有するこうした領域が大きすぎる場合、スイープ運動はデバイスに記録されず、特定の機能を作動させることはできない。他の実施形態において、１０5（Ω／スクエア）から１０12（Ω／スクエア）までの範囲のシート抵抗値を有する材料又は層は、電荷消散材料又は層と考えられ、一方、１０5（Ω／スクエア）を下回るシート抵抗は、静電容量伝導性と考えられる。しかしながら、この開示の目的のために、どちらの範囲も「導電性」である。
【００２２】
再び図１Ａ及び図１Ｂを参照すると、タッチスクリーンカバー１０において、保護パネル１００は、ユーザが、発信者情報、警告、カレンダー、呼び出し音、リマインダー及び時間などのリアルタイムの表示情報をユーザインターフェース上に得ることを可能にする透明な窓１０４を含む。従って、透明な窓１０４は、電話情報表示の全て、大部分、又は少なくとも一部を覆うことができる。幾つかの実施形態において、透明な窓は、外側弾性層及び内側繊維層を省略して、第２の透明な内部基板層のみを見せることによって形成することができる。例えば、透明な窓１０４は、ＰＥＴ、プラスチック又はガラス製の透明なパネルから成ることができる。このように、ユーザは、透明な窓１０４の下のユーザインターフェース上に表示される、発信者、時間又は他の情報を含む情報を容易に見ることができる。保護パネルが３つの層から成る場合、透明な窓１０４の特定領域において、外側皮革層及び内側繊維層を除去し、透明なＰＥＴから成る第２の層のみが存在するようにすることができる。変形例として、透明な窓１０４を、代わりに、単に、電話情報表示を露出させ、見えるようにする、保護パネル１００を通した切り取り開口部とすることができる。
【００２３】
透明な窓１０４内に表示される対応する発信者情報に基づいて、イベント（すなわち、電話着信）がユーザに通知され、従って、ユーザは、タッチ伝達部分１０６を通して、電話に応答する、電話を保留にする又は拒否するといった機能を実施することができる。さらに、保護パネル１０４はまた、携帯用モバイル機器のスピーカの位置に対応する音声出力開口部１０２を含むこともできる。従って、保護パネル１００が携帯用モバイル機器を覆っても、ユーザは、依然として、携帯用モバイル機器の電話機能を容易に使用することができる。例示的な設計に基づいて、タッチスクリーンカバー１０は、音声出力開口部１０２と、透明な窓１０４とを含む。上記の実施形態は、単に例示的なものにすぎず、本開示は、これらの実施形態のみに制限されるものではない。
【００２４】
タッチスクリーンカバー１０は、１つの例示的な実施形態であることを理解されたい。タッチ伝達部分１０６を透明にし、ユーザがコマンドにより生成されるものを明確に区別することを可能にする。しかしながら、タッチ伝達部分１０６は、非透明にすることもでき、さらにタッチ伝達部分１０６の形状及び位置を調整することができる。保護パネル１００はユーザインターフェースを覆うので、ユーザは、電話中にグラフィックス又は他の情報を見ることができない。従って、タッチ伝達部分１０６は、タッチ又はスイープ係合を行うべき場合に、ユーザに警告するように、異なる色をつけること又は異なるテキスチャを有することができる。代替的な実施形態においては、保護パネル１００の他の領域を透明又は不透明にして、携帯用モバイル機器の外観を明示することができ、又は個人的な特徴部を強調することができる。可撓性結合器１１０は、柔らかい可撓性特徴部を有する。保護パネル１００及び可撓性結合器１１０は一体的に形成することができ、又は変形例として、接着剤若しくは磁石、又は他の手段によって、可撓性結合器１１０を取り付けることができる。ユーザは、透明な窓１０４内に示される静電容量式タッチ感応ユーザインターフェース１２の情報を見て、タッチ伝達部分１０６において対応する操作を実施することができるので、システム要件に応じて、透明な窓１０４又はタッチ伝達部分１０６の位置又は形状を調整することができる。
【００２５】
上述のように、例えば図２Ａ、図２Ｂ、図３Ａ、図３Ｂ及び図３Ｃに示されるように、可撓性結合器１１０を保護シェル、保護ハウジング等の中にさらにピボット移動可能に取り付け、次に、携帯用モバイル機器をハウジング内に取り付けることができる。図２Ａ及び図２Ｂのデバイスは、ハウジングの構造、及び可撓性結合器がハウジングを保護パネル１００に取り付ける方法が、図３Ａ、図３Ｂ及び図３Ｃとは異なる。図２Ａ及び図２Ｂは、それぞれ、タッチスクリーンカバー２０の例示的な前部概略図及び後部概略図を示す。図３Ａ、図３Ｂ及び図３Ｃは、携帯用モバイル機器１１の概略図のタッチスクリーンカバー３０を示す。図２Ａ及び図２Ｂに示されるタッチスクリーンカバー２０は、図１のタッチスクリーンカバー１０に類似するが、タッチスクリーンカバー２０の可撓性結合器１１０はハウジング２２０内に固定され、次に、据え付けの際に携帯用モバイル機器に取り付けられる。可撓性結合器１１０は、ハウジング２２０のくぼんだ部分２２５に取り付けることができる。くぼんだ部分２２５は、その中に可撓性結合器１１０を受け入れるように、可撓性結合器１１０と一致するように形作られるのがよい。くぼんだ部分の端部は、旋回するのを容易にするために、可撓性結合器１１０中へのピボット突出部を含むことができる。詳細には、ハウジング２２０は、携帯用モバイル機器１１を部分的に包み、携帯型モバイル機器１１を内部に含み、保護することができ、それにより、携帯用モバイル機器１１が傷つくこと又は損傷することが防止される。ハウジング２２０は、硬質の傷のつきにくい表面を有することができ、又は耐衝撃性構造を装備することができ、かつ、例えばポリカーボネート又は他の材料で作製することができる。ハウジング２２０は、携帯用モバイル機器１１、カメラレンズ１４、フラッシュ１６、及びモバイル機器上に一般的に見られる他の構成要素に対応する開口部２２２を含む。ハウジング２２０内の開口部２２２の配置、及び他のこうした開口部の配置は、保護されるデバイス１１上の構成要素の位置によって決まり得る。幾つかの実施形態において、ハウジング２２０は、例えば音量キー１８などの、携帯用モバイル機器１１の任意の機能キーを覆わない。ハウジング２２０を透明又は不透明にして、携帯用モバイル機器１１の外観を向上させることができる。
【００２６】
さらに、タッチスクリーンカバー３０に関する図３Ａ及び図３Ｂに記載されるように、ハウジング３２０内にピボット移動可能に取り付けられた可撓性結合器３１０を介して、保護パネル１００が携帯用モバイル機器１１に取り付けられ、この保護パネル１００を、遮蔽形態と非遮蔽形態との間で前後にめくって引っくり返すことができ、これに対応して携帯用モバイル機器１１の静電容量式タッチ感応ユーザインターフェース１２を覆ったり又は覆いを外したりすることができる。ハウジング３２０は、遮蔽形態にめくって引っくり返されたとき、可撓性結合器１１０を受ける側内にアパーチャ３２５を有する。静電容量式タッチ感応ユーザインターフェース１２が保護パネル１００で覆われたとき、タッチ伝達部分１０６の特徴を用いることにより、ユーザは、依然として、図３Ｃに示される携帯用モバイル機器１１の幾つかの機能を作動させることができる。例えば、図３Ｃは、タッチ伝達部分１０６を横切ってスワイプする指３２８を示す。
【００２７】
ここで図４を参照すると、タッチスクリーンカバー４０の例示的な概略図が示される。このタッチスクリーンカバー４０の構造は、図２及び図２Ｂのタッチスクリーンカバー２０と類似しているが、１つの違いは、タッチスクリーンカバー４０の保護パネル４００が、複数の円形表示又はドットから成るマーク４０７を有するタッチ伝達部分４０６を含むことである。従って、カバーパネル４００が静電容量式タッチ感応ユーザインターフェース１２を覆うとき、ユーザの指は、タッチ伝達部分４０６を横切ってスワイプし、タッチ伝達部分４０６にタッチし、ユーザインターフェース１２内に静電容量を誘起することができる。マークは、目を引き、保護パネル４００上で目立つ、例えば青色、赤色若しくは紫色、又はいずれかの色のような色付きのマークとすることができる。変形例として、マークは、穿孔した穴又は開口部とすることができる。こうしたマークは、タッチ感応ユーザインターフェースのユーザ制御ゾーンの上に設けられ、ユーザに、こうしたユーザ制御ゾーンが位置する場所を示す視覚的手掛りを与える。変形例として、ユーザは、こうしたマークを見て、スイープ運動でマーク領域にタッチ係合し、ユーザ制御ゾーン内に静電容量を誘起し、従って電話の応答を作動させることができる。従って、ユーザは、マークを見ることにより使用中にタッチ係合をもたらすべき場所を容易に特定することができる。図４に示される実施形態においては、円形マークが保護パネル４００の下部の上に線形に与えられ、そこで、例えばｉｐｈｏｎｅ上で、スイープ運動により着信電話に応答する。
【００２８】
図４の示される実施形態において、円形マークは、線形の列で与えられるが、これらのマークは、円形、正方形、又は矩形、又は他の多角形などの他の形状を形成するように配置することができ、又は×字形、十文字形、若しくは対角線形状を形成することができ、又はモバイル機器のユーザタッチ機能に応じて保護パネル１００上の他の位置に配置することができる。従って、ユーザがタッチ伝達部分４０６をスワイプすることにより、電話に応答する、電話を保留する又は拒否するといった異なるタッチ感応機能を静電容量式タッチ感応ユーザインターフェース上に誘起することができる。従って、タッチスクリーンカバー４０の円形タッチ感応領域４０６は、外観の変化を与えることに加えて、静電容量式タッチ感応パネル１２上で表示される又は許可される異なるコマンドに基づいて、ユーザが異なるタッチ操作を実施することを可能にする。
【００２９】
幾つかの実施形態において、ユーザインターフェースを覆う保護パネル４００は、タッチ伝達部分４０６の外側の部分及びタッチ伝達部分４０６の内側の部分を含む、モバイル機器のユーザインターフェースの全て又は大部分にわたってタッチ伝達するものである。こうした場合、保護パネル４００のシート抵抗は、１０12（Ω／スクエア）より大きく又はこれと等しくすることができ、０．５ｍｍから１．５ｍｍまでの間の厚さを有する。こうした場合、そのようなシート抵抗及び厚さを有する保護パネルの表面上のあらゆる場所へのユーザのタッチが、モバイル機器のユーザインターフェースに伝達される。こうした実施形態において、図４に示されるタッチ伝達部分４０６のマークは、単に、電話の応答、保留、拒否といった特定の機能、又は他の機能を行うために、タッチカバー上のどこをタッチする又はスイープするかをユーザに警告する働きをするにすぎない。他の実施形態においては、タッチ伝達部分４０６の外側の保護パネル４００の部分は、１．５ｍｍ又はそれ以上の厚さを有し、１０12（Ω／スクエア）より大きい又はこれに等しいシート抵抗を有するので、これは、タッチ感応ユーザインターフェースに対して導電性ではなく絶縁性であり、同時に、タッチ伝達部分４０６は、０．５ｍｍから１．５ｍｍまでの間の厚さを有し、従って局所的な静電容量誘起を可能にする。
【００３０】
保護パネル４００が静電容量式タッチ感応ユーザインターフェース１２を覆うとき、ユーザの指は、タッチ伝達部分４０６又はタッチ伝達部分４０６のタッチ領域を横切ってスワイプすることができる。そうする際に、電話に応答する、電話を保留する又は拒否するといった異なるタッチ感応機能を、静電容量式タッチ感応ユーザインターフェース１２上に誘起することができる。従って、タッチスクリーンカバー４０のタッチ伝達部分４０６のマークは、外観の変化を与えることに加えて、静電容量式タッチ感応パネル１２上で表示される又は許可される異なるコマンドに基づいて、ユーザが異なるタッチ操作を実施することを可能にする。
【００３１】
ここで図５を参照すると、タッチスクリーンカバー５０の例示的な概略図が示される。このタッチスクリーンカバー５０の構造は、該タッチスクリーンカバー５０の保護パネル５００がタッチ伝達部分５０６を含むことを除いて、タッチスクリーンカバー２０と同じである。タッチ伝達部分５０６は、２つの隣接する静電容量伝導性部分の間の、距離Ｇ１を有する一連の静電容量伝導性部分５０７で作製される。その結果、ユーザの指がスワイプ又はタッチし、特定のタッチ伝達部分５０６、特に静電容量伝導性部分と共に特定の導電経路を形成すると、静電容量式タッチ感応ユーザインターフェース１２は、タッチ伝達部分５０６上に適用される指の位置を検出する。
【００３２】
対照的に、保護パネル５００は、タッチ伝達部分５０６の外側のインピーダンスが高い領域を有し、この領域は、静電容量式タッチ感応ユーザインターフェース１２上のタッチ操作を実施するためのユーザの指を記録しない。タッチ伝達部分５０６の外側のこうした領域は、静電容量絶縁性であり、例えば、１０12（Ω／スクエア）より大きい又はこれと等しいシート抵抗、及び１．５ｍｍを上回る厚さを有する。従って、このシート抵抗及び厚さにおいて、静電容量式タッチ感応ユーザインターフェース１２は、指が導電性タッチ伝達部分５０６の外側をタッチしたかどうかを検出しない。言い換えれば、タッチ伝達部分５０６の導電性部分は、良好な導電性を有するので、タッチ伝達部分５０６により作動される静電容量式タッチ感応ユーザインターフェース１２の感度は、保護パネル５００の残りの部分よりも高い。
【００３３】
一例において、タッチ伝達部分５０６の静電容量伝導性部分の各々についてのシート抵抗は、１０12（Ω／スクエア）を下回る。導電性部分は、これらの値に限定されるものではないが、静電容量伝導性となるように十分に低いシート抵抗を有する必要がある。静電容量伝導性部分の隣接する対の間の材料は、静電容量絶縁性材料から成る。さらに、幾つかの実施形態において、タッチ伝達部分５０６は、一連の交互する静電容量伝導性部分及び静電容量絶縁性部分から成る。導電性タッチ伝達部分５０６の静電容量伝導性部分の各々の間のサイズ及び距離Ｇ１は、ユーザが多数の静電容量伝導性部分を横切ってスワイプするときにタッチ点を判断し、読み取る際に、静電容量式タッチ感応ユーザインターフェース１２が妨げられないように十分なものとすべきであることに留意されたい。
【００３４】
静電容量伝導性部分の各々は１０12（Ω／スクエア）を下回るシート抵抗を有し、導電性であるので、それぞれの導電性部分の領域全体にわたって静電容量が伝えられる。従って、静電容量伝導性部分の面積が大きすぎる場合、ユーザインターフェースは、特定の局所的な領域を記録しない。従って、導電性部分は、局所的な領域を記録するのに十分に小さい領域を伝わるようなサイズにすべきである。幾つかを線形に離間させることにより、スユーザがスワイプ中に各部分を連続してタッチすると、それぞれが「明るく」なり、スイープが進むにつれてその領域を横切って伝わる。従って、ユーザによる指のスワイプの間、ユーザインターフェースは、各導電性部分を連続して記録し、従って、ユーザの指自体に類似したスイープをまねる。この特性のため、静電容量伝導性部分５０７はそれぞれ、保護パネルの静電容量絶縁性部分で部分的に覆うことができる。変形例として、覆われる静電容量絶縁性部分は、露出した外面からの静電容量の伝達を可能にする複数の静電容量伝導性ゾーンを有することができる。変形例として、静電容量絶縁性部分内の切り取り窓を作製して、導電性部分に開口部を与えることができる。変形例として、静電容量伝導性部分の構成要素は、露出した外面から、覆われた静電容量絶縁性部分を通って延びることができる。従って、ユーザの指が露出した静電容量伝導性部分の任意の部分又は覆われたゾーンをタッチした場合、導電性は、その領域全体にわたってユーザインターフェースに伝わる。このように、静電容量伝導性部分はそれぞれ、皮革、又はＰＵ皮革、又は他の材料により保護パネルにおいて少なくとも部分的に覆うことができ、かつ、ユーザに対してより審美的な表面の覆いを提供することができる。
【００３５】
図５に示される実施形態において、３つの静電容量伝導性部分が示されるが、２つ又はそれ以上、変形例として２乃至１０、変形例として２乃至５、変形例として２乃至６、又は変形例として３乃至５のパネル、又はこれらの組み合わせの任意の数を含む、複数の静電容量伝導性部分が存在し得る。静電容量伝導性部分の数は、モバイル・ハンドセット（携帯電話機）の機能によって決まり得る。さらに、各々の静電容量伝導性部分の一方向の長さ又は高さは制限されるものではないが、０．１ｍｍ乃至２０ｍｍ、変形例として１ｍｍ乃至１８ｍｍ、変形例として２ｍｍ乃至１５ｍｍ、変形例として３ｍｍ乃至１２ｍｍ、変形例として２ｍｍ乃至７ｍｍ、変形例として２ｍｍ乃至５ｍｍ、又はこれらの組み合わせとすることができる。さらに、限定ではないが、サイズは、例えば、０．５ｃｍ×０．５ｃｍ、又は変形例として１ｃｍ×１ｃｍ、又は変形例として１．５ｃｍ×１．５ｃｍ、又は変形例として２ｃｍ×２ｃｍ、又は変形例として５ｃｍ×５ｃｍ、又はこれらの組み合わせとすることができる。
【００３６】
上記に加えて、距離Ｇ１は、インターフェースが一連のスイープを感知できないほど大きすぎてはいけないが、ユーザインターフェースが集合ユニットとして（複数のユニットではなく）隣接する導電性部分を読み取れないほど小さくてはいけない。例えば、導電性タッチ伝達部分５０６の２つの隣接する静電容量伝導性部分間の距離Ｇ１は、限定されないが、０．１ｍｍ乃至１５ｍｍ、変形例として１ｍｍ乃至１４ｍｍ、変形例として２ｍｍ乃至１３ｍｍ、変形例として４ｍｍ乃至１２ｍｍ、変形例として６ｍｍ乃至１１ｍｍ、変形例として７ｍｍ乃至１０ｍｍの範囲、又は上述の範囲の組み合わせに及ぶことができる。変形例として、距離Ｇ１は、少なくとも０．１ｍｍ又は１５ｍｍ以下とすることもできる。
【００３７】
さらに、タッチ伝達部分５０６の静電容量伝導性部分の各々は、示される実施形態においては略矩形であるが、形状は限定されず、円形、正方形、五角形、六角形、又は他の多角形などの他の形態をとることができ、正多角形及び不規則多角形とすることができる。さらに、示される実施形態において、静電容量伝導性部分は、直線状に配置されるが、×字形、十文字形又は対角線形状で配置されるか、又はユーザインターフェースの上の他の位置に配置されることがある。
【００３８】
従って、幾つかの実施形態において、タッチ伝達部分５０６の外側の保護パネル５００の大部分、並びに窓は、静電容量絶縁性である。さらに別の実施形態においては、タッチ伝達部分５０６の外側の保護パネル５００の実質的全体及び窓は、静電容量絶縁性である。
【００３９】
ここで図６を参照すると、タッチスクリーンカバー６０の例示的な概略図が示される。このタッチスクリーンカバー６０の構造は、該タッチスクリーンカバー６０の保護パネル６００がタッチ伝達部分６０６を含むことを除いて、タッチスクリーンカバー５０と同じである。タッチ伝達部分６０６は、透明な窓間隔を有した一連の静電容量伝導性部分６０７で作製される。透明な窓間隔６０８は、タッチ伝達部分６０６の２つの隣接する静電容量伝導性部分の間に設定される。透明な窓間隔６０８は、静電容量伝導性部分６０７の間の距離Ｇ１を有する幅Ｗ１を有する。幅Ｗ１は、２つの隣接した静電容量伝導性部分の間の上述した距離Ｇ１と等しくすることができる。その結果、ユーザの指が特定のタッチ伝達部分６０６にタッチし、特定のタッチ伝達部分６０６、特に静電容量伝導性部分と共に特定の導電性経路を形成すると、静電容量式タッチ感応ユーザインターフェース１２は、タッチ伝達部分６０６上に適用された接触指の位置、及びその位置の静電容量値の変化とを検出し、それにより静電容量式タッチ感応ユーザインターフェース１２が、対応するタッチ感応信号をユーザインターフェースに送ることが可能になる。窓間隔６０８は、ＰＥＴ、又はガラス、又は他の透明な材料から成ることができ、内部基板層の部分を露わにすることができ、又は保護パネルを通る開口部とすることができる。
【００４０】
図６の例示的な実施形態において、４つの静電容量伝導性部分が示されるが、２つ又はそれ以上、変形例として２乃至１０、変形例として２乃至５、変形例として２乃至６、又は変形例として３乃至５のパネル、又は上述の組み合わせの任意の数とすることができる。
【００４１】
一例において、タッチ伝達部分６０６の各静電容量伝導性部分６０７についてのシート抵抗は、１０12（Ω／スクエア）を下回る。透明な窓間隔６０８は透明な材料で作製されるので、静電容量式タッチ感応ユーザインターフェースが保護パネル６００で覆われたとき、ユーザは、保護パネル６００の透明な窓間隔６０８を通して静電容量式タッチ感応パネル上にリアルタイムで表示される情報を取得する。また、導電性タッチ伝達部分６０６の静電容量伝導性部分の各々の間の透明な窓間隔６０８の幅Ｗ１のサイズ及び距離は、ユーザが多数の静電容量伝導性部分を横切ってスワイプするときにタッチ点を判断し読み取る際に、静電容量式タッチ感応ユーザインターフェース１２が妨げられないように十分なものとすべきであることに留意されたい。Ｇ１に関して上述された範囲は、窓のＷ１について同じとすることができる。
【００４２】
さらに、携帯用モバイル機器を含み、保護するように、ハウジングを調整することもできる。ここで図７を参照すると、タッチスクリーンカバー７０の例示的な概略図が示される。このタッチスクリーンカバー７０の構造は、タッチスクリーンカバー７０のハウジング７２０が、携帯用モバイル機器１１の側部を囲んでこれを覆う、矩形形状のリングフレーム構造体内に形成されることを除いて、図２Ａ及び図２Ｂのタッチスクリーンカバー２０と同じである。ハウジング７２０は、音量キー１８などの、携帯用モバイル機器１１の機能キーに対応する、キー開口部７２２を含む。さらに、タッチスクリーンカバー７０の可撓性結合器７１０が、ハウジング７２０に取り付けられ、すなわち、携帯用モバイル機器１１の側部に固定され、それにより、タッチスクリーンカバー７０の保護パネル１００が、前後にめくって引っくり返ることができ、静電容量式タッチ感応ユーザインターフェース１２を覆うことが可能になる。上述のように、静電容量式タッチ感応ユーザインターフェース１２が保護パネル１００で覆われたとき、伝達部分１０６の特徴を用いることにより、ユーザは、依然として、タッチ感応領域１０６を通して携帯用モバイル機器１１の幾つかの機能を作動させることができる。
【００４３】
ここで図８を参照すると、タッチスクリーンカバー８０の例示的な概略図が示される。タッチスクリーンカバー８０は、保護パネル８００と、可撓性結合器８１０と、ハウジング８２０とを含み、その構成は、図２Ａ及び図２Ｂのタッチスクリーンカバー２０とほぼ同じとすることができる。その違いは、可撓性結合器１１０及びハウジング２２０が保護パネル１００の左側に取り付けられる図２Ｂと比べると、タッチスクリーンカバー８０において、可撓性結合器８１０及びハウジング８２０は保護パネル８００の右側に取り付けられ、従って左利きのユーザが左手で保護パネル８００を開けることが可能であり、携帯型モバイル機器１１のリアルタイム操作を達成することができる。
【００４４】
上記のタッチスクリーンカバー２０、３０、４０、５０、６０、７０及び８０は、保護シェルを含む。こうしたデバイスについては、可撓性結合器は、接着剤、磁気結合によって保護シェルに取り付けることができ、又はシェルと一体に作製することができる。図９は、携帯用モバイル機器１１に直接固定されたタッチスクリーンカバー１０を示す。この場合、種々の方法により、可撓性結合器１１０を携帯用モバイル機器１１に取り付けることができ、異なる取り付け方法の場合、可撓性結合器１１０のサイズ、形状及び材料を調整することができる。例えば、可撓性結合器１１０は、接着剤によって携帯用モバイル機器１１の表面に取り付けること、又は携帯用モバイル機器１１に磁気的に取り付けることが可能である。保護パネル１００は、可撓性結合器１１０によって携帯用モバイル機器１１に固定され、前後にめくって引っくり返すことができて、携帯用モバイル機器１１の静電容量式タッチ感応ユーザインターフェース１２を覆い、静電容量式タッチ感応ユーザインターフェース１２が傷つく又は損傷するのを防止することができる。前述のように、静電容量式タッチ感応ユーザインターフェース１２を保護パネル１００で覆っても、タッチ伝達部分１０６の特徴を用いることにより、ユーザは、依然として、タッチ伝達部分１０６を通して携帯用モバイル機器１１の幾つかの機能を作動させることができる。
【００４５】
これまでは、保護デバイスが静電容量式タッチ感応ユーザインターフェースを覆うと、ユーザは、ユーザインターフェースにアクセスできず、その結果、いずれの機能も作動させることができず、ユーザに不便をもたらしていた。対照的に、本開示においては、タッチスクリーンカバーが静電容量式タッチ感応ユーザインターフェースを覆ったとき、ユーザは、依然として、タッチ伝達部分を用いて携帯用モバイル機器の幾つかの機能を作動させることができる。従って、電話着信の際、ユーザは、保護デバイスを開かずに、電話の応答、保留又は拒否などの機能を実施することができ、利便性が効果的に向上した。
【００４６】
要約すると、本明細書に開示されるタッチスクリーンカバーは、携帯用モバイル機器を有効に保護し、静電容量式タッチ感応パネルで覆われても、タッチスクリーンカバーのタッチ感応領域を通してユーザによるタッチ操作が可能になり、そのため利便性が向上する。
【００４７】
上述の種々の実施形態は、単に例示のために提供されたものであり、本開示の範囲を制限するものと解釈されるべきではない。本開示の範囲、及び、以下の特許請求の範囲から逸脱することなく、本明細書に記載される原理及び実施形態に対して種々の修正及び変更を行うことができる。
【符号の説明】
【００４８】
１０、２０、３０、４０、５０、６０、７０、８０：タッチスクリーンカバー
１１：携帯型モバイル機器
１２：静電容量式タッチ感応ユーザインターフェース
１４：カメラレンズ
１６：フラッシュ
１８：音量キー
１００、４００、５００、６００、８００：保護パネル
１０２、２２２：音声出力開口部、開口部
１０４：透明な窓
１０６、４０６、５０６、６０６：タッチ伝達部分
１１０、３１０、７１０、８１０：可撓性結合器
２２０、３２０、７２０、８２０：ハウジング
２２５：くぼんだ部分
３２５：アパーチャ
３２８：指
４０７、５０７、６０７：静電容量伝導性部分
６０８：透明な窓間隔
７２２：キー開口部
Ｇ１：距離
Ｗ１：幅
【図１Ａ】
2015079510.tif 000003
【図１Ｂ】
2015079510.tif 000004
【図２Ａ】
2015079510.tif 000005
【図２Ｂ】
2015079510.tif 000006
【図３Ａ】
2015079510.tif 000007
【図３Ｂ】
2015079510.tif 000008
【図３Ｃ】
2015079510.tif 000009
【図４】
2015079510.tif 000010
【図５】
2015079510.tif 000011
【図６】
2015079510.tif 000012
【図７】
2015079510.tif 000013
【図８】
2015079510.tif 000014
【図９】
2015079510.tif 000015
【外国語明細書】
2015079510000001.pdf